(57)【要約】      （修正有）【課題】太陽電池のモジュールを重畳して収納し、複数のモジュールを設けることができる太陽電池を提供する。【解決手段】集光ユニット１４０と、集光ユニットが吸収した光エネルギーを伝送する少なくとも一以上の光伝送ユニット１３０と、少なくとも１以上の太陽電池ユニット１２０とを含んでなり、導光部材１２１と、少なくとも一以上の光電転換部材とを含んでなり、導光部材が少なくとも一以上の光電転換部材１２２と緊密に接続し、導光部材が光電伝送部材により集光ユニットが吸収した光エネルギーを伝送し、接収した光エネルギーを導光部材の射出面から光電転換部材の受光面に均一に拡散し、光電転換部材の受光面が導光部材が均一に拡散した光エネルギーを吸収し、光エネルギーを電気エネルギーに転換するための構造からなる。【選択図】図１
0003163308.tif 000002
【実用新案登録請求の範囲】
【請求項１】
集光ユニットと、
集光ユニットが吸収した光エネルギーを伝送する少なくとも一以上の光伝送ユニットと、
少なくとも１以上の太陽電池ユニットと、を含んでなり、
導光部材と、少なくとも一以上の光電転換部材とを含んでなり、導光部材が少なくとも一以上の光電転換部材と緊密に接続し、導光部材が光電伝送部材により集光ユニットが吸収した光エネルギーを伝送し、接収した光エネルギーを導光部材の射出面から光電転換部材の受光面に均一に拡散し、光電転換部材の受光面が導光部材が均一に拡散した光エネルギーを吸収し、光エネルギーを電気エネルギーに転換する構造からなることを特徴とする太陽電池。
【請求項２】
前記光伝送ユニットが、一端を集光ユニットと互いに接続し、他端を導光部材と接続し、集光ユニットが吸収した光エネルギーを導光部材の一面に伝送して射出する構造からなることを特徴とする請求項１に記載の太陽電池。
【請求項３】
前記導光部材が、単面射出か、或いは両面射出の導光板であることを特徴とする請求項１に記載の太陽電池。
【請求項４】
前記導光部材が、単面射出か、或いは両面射出の導光フィルムであることを特徴とする請求項１に記載の太陽電池。
【請求項５】
前記光電転換部材の受光面が、導光部材の射出面と緊密に接続することを特徴とする請求項１に記載の太陽電池。
【請求項６】
前記光伝送ユニットが、光ファイバーか、或いは光導管からなることを特徴とする請求項１に記載の太陽電池。
【請求項７】
前記集光ユニットが、集光器か、或いは集光板からなることを特徴とする請求項１に記載の太陽電池。
【請求項８】
前記太陽電池ユニットが、需要に応じてアレイと一体に形成されることを特徴とする請求項１に記載の太陽電池。
【請求項９】
太陽電池のモジュールが、太陽電池ユニットと電気的に接続した蓄電変圧ユニットを含んでなり、該蓄電変圧ユニットが太陽電池ユニットが転換した光エネルギーを保存し、電気エネルギーを形成し、特定に電気機器設備に必要な電気エネルギーを供給することを特徴とする請求項１に記載の太陽電池。
【請求項１０】
前記蓄電変圧ユニットが、電力設備に出力する出力線路を含んでなることを特徴とする請求項９に記載の太陽電池。  
【考案の詳細な説明】
【技術分野】
【０００１】
この考案は、太陽電池であって、特に太陽光線を利用して電気を発生させる太陽電池に関する。
【背景技術】
【０００２】
一般に導光板は光源を利用して反射マスクを装着して光線を導光板に投射する。
【０００３】
光源が導光板の上方と下方とで全反射と拡散を繰り返し、反射せず露出した光線は、反射フィルムで再度、導光板に反射されて利用される。
【０００４】
パッケージの部分、或いは突出部が損壊すると、導光板の転化線からの光源分布が輝度均一面の高原となり、拡散フィルムの均光作用とプリズムフィルムの集光作用で光源の輝度と集光度とを上昇させることができ、保護フィルムを介して単面の光線の射出、拡散が発光エリア内に分布する。
【０００５】
現在、関連業界では単一の導光板で両面から射出するような効果を得ることができる目的を達成するため、導光板が簡単な構造を介して確実に両面からの射出効果を得ることができるようになった。
【０００６】
しかしながら、上述の両面射出導光部材、集光部材とその他関連構造とを合わせた全体の構造が非常に複雑で、室内や特定の限られた土地に複数の太陽電池モジュールを設けることができない。
【０００７】
よって、製品の応用範囲も限られていた。
【考案の開示】
【考案が解決しようとする課題】
【０００８】
この考案は、太陽電池のモジュールを重畳して収納し、複数のモジュールを設けることができる太陽電池を提供することを課題とする。
【課題を解決するための手段】
【０００９】
そこで、本考案者は従来の技術に見られる欠点に鑑みて鋭意研究を重ねた結果、集光ユニットと、
集光ユニットが吸収した光エネルギーを伝送する少なくとも一以上の光伝送ユニットと、
少なくとも１以上の太陽電池ユニットと、を含んでなり、
導光部材と、少なくとも一以上の光電転換部材とを含んでなり、導光部材が少なくとも一以上の光電転換部材と緊密に接続し、導光部材が光電伝送部材により集光ユニットが吸収した光エネルギーを伝送し、接収した光エネルギーを導光部材の射出面から光電転換部材の受光面に均一に拡散し、光電転換部材の受光面が導光部材が均一に拡散した光エネルギーを吸収し、光エネルギーを電気エネルギーに転換する構造からなる太陽電池によって課題を解決できる点に着眼し、かかる知見に基づいて本考案を完成させた。
【００１０】
以下、この考案について具体的に説明する。
請求項１に記載する太陽電池は、集光ユニットと、
集光ユニットが吸収した光エネルギーを伝送する少なくとも一以上の光伝送ユニットと、
少なくとも１以上の太陽電池ユニットと、を含んでなり、
導光部材と、少なくとも一以上の光電転換部材とを含んでなり、導光部材が少なくとも一以上の光電転換部材と緊密に接続し、導光部材が光電伝送部材により集光ユニットが吸収した光エネルギーを伝送し、接収した光エネルギーを導光部材の射出面から光電転換部材の受光面に均一に拡散し、光電転換部材の受光面が導光部材が均一に拡散した光エネルギーを吸収し、光エネルギーを電気エネルギーに転換する構造からなる。
【００１１】
請求項２に記載の太陽電池は、請求項１における光伝送ユニットが、一端を集光ユニットと互いに接続し、他端を導光部材と接続し、集光ユニットが吸収した光エネルギーを導光部材の一面に伝送して射出する構造からなる。
【００１２】
請求項３に記載の太陽電池は、請求項１における導光部材が、単面射出か、或いは両面射出の導光板である。
【００１３】
請求項４に記載の太陽電池は、請求項１における導光部材が、単面射出か、或いは両面射出の導光フィルムである。
【００１４】
請求項５に記載の太陽電池は、請求項１における光電転換部材の受光面が、導光部材の射出面と緊密に接続する。
【００１５】
請求項６に記載の太陽電池は、請求項１における光伝送ユニットが、光ファイバーか、或いは光導管からなる。
【００１６】
請求項７に記載の太陽電池は、請求項１における集光ユニットが、集光器か、或いは集光板からなる。
【００１７】
請求項８に記載の太陽電池は、請求項１における太陽電池ユニットが、需要に応じてアレイと一体に形成される。
【００１８】
請求項９に記載の太陽電池は、請求項１における太陽電池のモジュールが、太陽電池ユニットと電気的に接続した蓄電変圧ユニットを含んでなり、該蓄電変圧ユニットが太陽電池ユニットが転換した光エネルギーを保存し、電気エネルギーを形成し、特定に電気機器設備に必要な電気エネルギーを供給する。
【００１９】
請求項１０に記載の太陽電池は、請求項９における蓄電変圧ユニットが、電力設備に出力する出力線路を含んでなる。
【考案の効果】
【００２０】
この考案の太陽電池は、重畳することができるため設置するための空間を節減するとともに、需要に応じて複数設置することができて実用的であるという効果を有する。
【考案を実施するための最良の形態】
【００２１】
この考案は、太陽電池のモジュールを重畳して収納し、複数のモジュールを設けることができる太陽電池であって、集光ユニットと、
集光ユニットが吸収した光エネルギーを伝送する少なくとも一以上の光伝送ユニットと、
少なくとも１以上の太陽電池ユニットと、を含んでなり、
導光部材と、少なくとも一以上の光電転換部材とを含んでなり、導光部材が少なくとも一以上の光電転換部材と緊密に接続し、導光部材が光電伝送部材により集光ユニットが吸収した光エネルギーを伝送し、接収した光エネルギーを導光部材の射出面から光電転換部材の受光面に均一に拡散し、光電転換部材の受光面が導光部材が均一に拡散した光エネルギーを吸収し、光エネルギーを電気エネルギーに転換する太陽電池の構造と特徴を詳述するために具体的な実施例を挙げ、図示を参照にして以下に説明する。
【実施例】
【００２２】
図１は、この考案の太陽電池を示した説明図である。
【００２３】
この考案の太陽電池のモジュール１００は、少なくとも１以上の太陽電池ユニット１２０と、光伝送ユニット１３０と、集光ユニット１４０とを含んでなる。
【００２４】
集光ユニット１４０は、集光器、或いは集光板からなる。
【００２５】
太陽電池ユニット１２０は、導光部材１２１と、少なくとも１以上の光電転換部材１２２とを含んでなる。
【００２６】
導光部材１２１は、単面射出、或いは両面射出の導光板、或いは導光フィルムからなる。
【００２７】
前述の導光部材１２１は、光伝送ユニット１３０が集光ユニット１４０が吸収した光エネルギーを伝送し、光エネルギーを受けて光電転換部材１２２の受光面に均一に拡散する。
【００２８】
上述の太陽電池ユニット１２０は、両面照射の導光部材１２１の射出面面で、光電転換部材１２２の受光面と緊密に接続し、光電の転換で電気エネルギーを確保することができる。
【００２９】
上述の太陽電池ユニット１２０は、需要に合わせて太陽電池ユニットのアレイ１２０Ａを増加することができる。
【００３０】
また、光伝送ユニット１３０は、光ファイバーか、或いは光導管からなる。光伝送ユニット１３０は一端が集光ユニット１４０と互いに接続し、他端が導光部材１２１と接続し、集光ユニット１４０が吸収した光エネルギーを導光部材１２１の一面に伝送し、射出するために供する。
【００３１】
図２に開示するように、この考案の太陽電池のモジュール１００は、屋内の収納空間に設け、且つ、需要に応じて複数の太陽電池ユニット１２０を設けることができる。
【００３２】
また、蓄電変圧ユニット１５０と電気的に接続し、光電転換により電気エネルギーを得て蓄電変圧ユニット１５０に伝送して蓄電することができる。
【００３３】
また、特定の電気機器設備と電気的に接続して必要な電気エネルギーを供給することができ、太陽電池ユニットのアレイ１２０Ａを形成する。
【００３４】
図３に開示するように、この考案の太陽電池のモジュール１００は、建築物内部に独立して設けることができ、需要に応じて複数の太陽電池ユニットのアレイ１２０Ａを設けることができる。
【００３５】
光電転換で電気エネルギーを得て、蓄電変圧ユニット１５０に伝送して蓄電する。
【００３６】
また、蓄電変圧ユニット１５０は、出力線路１５１を含んでなり、電気エネルギーを電力設備（変圧所など）に出力して電力設備から電気を供給してもらう。
【００３７】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３８】
【図１】この考案の太陽電池のモジュールを示した説明図である。
【図２】この考案の太陽電池を応用した状態を示した説明図（一）である。
【図３】この考案の太陽電池を応用した状態を示した説明図（二）である。
【符号の説明】
【００３９】
１００     モジュール
１２０     太陽電池ユニット
１２０Ａ   アレイ
１２１     導光部材
１２２     光電転換部材
１３０     光伝送ユニット
１４０     集光ユニット
１５０     蓄電変圧ユニット
１５１     出力線路
【図１】
0003163308.tif 000003
【図２】
0003163308.tif 000004
【図３】
0003163308.tif 000005